(57)【要約】【課題】臨場感豊かな音源で絵画等の観賞を楽しみたいという鑑賞者の要望に十分に応えることのできる照明装置、及び、この照明装置が取り付けられてなる額縁を提供する。【解決手段】照明装置は、音声信号を外部から受信可能な信号受信部５０と、音声信号内で連続する協和音を演奏曲として抽出可能な演奏曲抽出部６０と、演奏曲抽出部６０の抽出結果に応じて、演奏曲の演奏開始／演奏終了を検出可能な演奏状態検出部７０と、紫外線を照射可能な第１の照明灯と、白色光を照射可能な第２の照明灯と、第１の照明灯の点灯／消灯を制御するとともに、第２の照明灯の点灯／消灯並びに照度を制御可能な照明制御部２３とを備え、演奏開始の検出に応答して第１及び第２の照明灯を点灯させるとともに、演奏終了の検出に応答して第１及び前記第２の照明灯を消灯させる。【選択図】図５
2015122199.tif 000002
【特許請求の範囲】
【請求項１】
音声信号を外部から受信可能な信号受信部と、
前記音声信号内で連続する協和音を演奏曲として抽出可能な演奏曲抽出部と、
前記演奏曲抽出部の抽出結果に応じて、前記演奏曲の演奏開始／演奏終了を検出可能な演奏状態検出部と、
紫外線を照射可能な第１の照明灯と、
白色光を照射可能な第２の照明灯と、
前記第１の照明灯の点灯／消灯を制御するとともに、上記第２の照明灯の点灯／消灯並びに照度を制御可能な照明制御部と、
を備え、
前記照明制御部が、
前記第２の照明灯に対しては、
消灯状態より予め設定された第１の所定時間内において徐々に照度を増大させ、該第１の所定時間に続く予め設定された第２の所定時間内において最大照度を維持させ、該第２の所定時間に続く予め設定された第３の所定時間内において徐々に照度を減少させ、該第３の所定時間に続く予め設定された第４の所定時間内において消灯状態を維持させるというパターンを繰り返す制御を行い、
前記第１の照明灯に対しては、
該第２の照明灯が点灯されている間の予め設定された第５の所定時間内において消灯させ、該第２の照明灯が消灯されている間を含む予め設定された第６の所定時間内において点灯させるというパターンを繰り返す制御を行い、
前記演奏状態検出部における前記演奏開始の検出に応答して前記第１及び前記第２の照明灯を点灯させるとともに、
前記演奏状態検出部における前記演奏終了の検出に応答して前記第１及び前記第２の照明灯を消灯させることを特徴とする照明装置。
【請求項２】
前記演奏曲抽出部が、
前記音声信号のデータにフーリエ変換を適用して周波数データを生成可能なデータ変換部と、
前記連続する協和音に対応する特定帯域のデータを前記周波数データから抽出可能な帯域抽出部と、
前記帯域抽出部における前記特定帯域のデータの抽出に応答して、前記音声信号内に前記演奏曲が有ると判断する演奏曲有無判断部と、
を備えることを特徴とする請求項１に記載の照明装置。
【請求項３】
前記演奏状態検出部が、
前記演奏曲有無判断部で前記音声信号内に前記演奏曲が有ると判断された際には、前記演奏開始を検出し、
前記帯域抽出部で前記特定帯域のデータが抽出されない状態が予め定められた時間だけ継続した際には、前記演奏終了を検出することを特徴とする請求項２に記載の照明装置。
【請求項４】
前記照明制御部が、
複数の制御パターンが記憶されてなる記憶装置を備え、これら複数の制御パターンの選択よりいずれか一の制御パターンを選択し、選択された一の制御パターンに従った制御を実行するよう構成されてなることを特徴とする請求項１〜３のいずれか一項に記載の照明装置。
【請求項５】
操作信号を発信する送信装置と、
前記送信装置からの操作信号を受信して前記照明制御部に供給する受信装置と、
を備え、
前記照明制御部が、
前記操作信号に応じて、制御パターンの選択を行うよう構成されてなることを特徴とする請求項１〜４のいずれか一項に記載の照明装置。
【請求項６】
複数の発光色に発光する表示灯を備え、
前記表示灯は、選択されたいずれか一の制御パターンに応じて、各制御パターンに対応した発光色に発光するよう構成されてなることを特徴とする請求項１〜５のいずれか一項に記載の照明装置。
【請求項７】
前記第１の照明灯が、
紫外線灯、及び、紫外線ＬＥＤのいずれかであることを特徴とする請求項１〜６のいずれか一項に記載の照明装置。
【請求項８】
前記第２の照明灯が、
白熱灯、及び、白色ＬＥＤのいずれかであることを特徴とする請求項１〜７のいずれか一項に記載の照明装置。
【請求項９】
請求項１〜８のいずれか一項に記載の照明装置が取り付けられてなる額縁。
【発明の詳細な説明】
【技術分野】
【０００１】
本発明は、絵画やポスター、又は、その複製品（以下、絵画等という）を照射するために使用される照明装置に関する技術分野及びこのような照明装置が取付けられた額縁に関する技術分野に属するものである。
【背景技術】
【０００２】
従来、紫外線により発光又は反射する特殊な塗料を使用して、例えば昼間の風景と夜間の風景とを同時に表現した絵画等を照明するための照明装置がある（例えば特許文献１参照）。この種の照明装置では、昼間の風景と夜間の風景との違いが充分に表現されるように配慮されている。また、この種の照明装置は、昼間の風景から夜間の風景へ徐々に変化する自然の変化に対応した状態で絵画等の鑑賞を可能とするものであって、絵画等の鑑賞者に対して臨場感を醸し出すことのできるものとなっている。
【先行技術文献】
【特許文献】
【０００３】
【特許文献１】特許第２８８０４７６号公報
【発明の概要】
【発明が解決しようとする課題】
【０００４】
ところで、絵画等の鑑賞者の中には、絵画等に相応しい演奏曲を聴きながら絵画等の観賞を楽しみたいと願う者、又は、お気に入りの演奏曲を聴きながら絵画等の観賞を楽しみたいと願う者が存在する。つまり、絵画等の鑑賞者の中には、演奏曲を聴きながら臨場感豊かな音源で絵画等の観賞を楽しみたいと願う者が存在する。
【０００５】
しかしながら、上記特許文献１に開示された照明装置では、自然の変化に対応した状態で絵画等の鑑賞を楽しみたいという鑑賞者の要望に応えることはできても、演奏曲を聴きながら臨場感豊かな音源で絵画等の観賞を楽しみたいという鑑賞者の要望に十分に応えることはできなかった。
【０００６】
そこで、本発明の目的は、臨場感豊かな音源で絵画等の観賞を楽しみたいという鑑賞者の要望に十分に応えることのできる照明装置、及び、この照明装置が取り付けられてなる額縁を提供することである。
【課題を解決するための手段】
【０００７】
（１）  本発明の照明装置は、音声信号を外部から受信可能な信号受信部と、前記音声信号内で連続する協和音を演奏曲として抽出可能な演奏曲抽出部と、前記演奏曲抽出部の抽出結果に応じて、前記演奏曲の演奏開始／演奏終了を検出可能な演奏状態検出部と、紫外線を照射可能な第１の照明灯と、白色光を照射可能な第２の照明灯と、前記第１の照明灯の点灯／消灯を制御するとともに、上記第２の照明灯の点灯／消灯並びに照度を制御可能な照明制御部と、を備え、前記照明制御部が、前記第２の照明灯に対しては、消灯状態より予め設定された第１の所定時間内において徐々に照度を増大させ、該第１の所定時間に続く予め設定された第２の所定時間内において最大照度を維持させ、該第２の所定時間に続く予め設定された第３の所定時間内において徐々に照度を減少させ、該第３の所定時間に続く予め設定された第４の所定時間内において消灯状態を維持させるというパターンを繰り返す制御を行い、前記第１の照明灯に対しては、該第２の照明灯が点灯されている間の予め設定された第５の所定時間内において消灯させ、該第２の照明灯が消灯されている間を含む予め設定された第６の所定時間内において点灯させるというパターンを繰り返す制御を行うとともに、前記演奏状態検出部における前記演奏開始の検出に応答して前記第１及び前記第２の照明灯を点灯させるとともに、前記演奏状態検出部における前記演奏終了の検出に応答して前記第１及び前記第２の照明灯を消灯させることを特徴とするものである。ここでの「音声信号」とは、演奏曲に雑音が付加された信号を言うものであって、本発明では、前記音声信号内で連続する協和音が演奏曲目の音色として前記演奏曲抽出部で抽出されるが、前記音声信号内にある不連続の不協和音は、人が歩く音又は環境音等であるとして前記演奏曲抽出部での抽出は行われない。
【０００８】
上記（１）の構成によれば、白色光を照射可能な第２の照明灯が経時的に照度を増大及び減少させるという所定の制御パターンを取り返すとともに、この第２の照明灯が点灯されている間の所定の時間内においては、紫外線を照射可能な第１の照明灯が消灯される。そのため、この照明装置等は、紫外線の照射により発光し又は紫外線を反射する特殊な塗料が部分的に塗布された絵画等に対して使用されることにより、該絵画等における表現の変化を極めて高い臨場感及び大きな意外性を以て観察者に認識させることができ、ひいては、観察者に大きなリラクゼーションを与えることができる。
【０００９】
更に、上記（１）の構成によれば、照明制御部が、演奏状態検出部における演奏開始の検出に応答して第１及び第２の照明灯を点灯させるとともに、演奏状態検出部における演奏終了の検出に応答して第１及び第２の照明灯を消灯させるものであるので、演奏曲を聴きながら臨場感豊かな音源で絵画等の観賞を楽しみたいという鑑賞者の従来からの要望に十分に応えることができる。これにより、鑑賞者は、上記絵画等を鑑賞しながら、演奏曲を聴くことにより、一層大きなリラクゼーションを得ることができる。
【００１０】
（２）  上記（１）の照明装置において、前記演奏曲抽出部は、前記音声信号のデータにフーリエ変換を適用して周波数データを生成可能なデータ変換部と、前記連続する協和音に対応する特定帯域のデータを前記周波数データから抽出可能な帯域抽出部と、前記帯域抽出部における前記特定帯域のデータの抽出に応答して、前記音声信号内に前記演奏曲が有ると判断する演奏曲有無判断部と、を備えることが好ましい。
【００１１】
上記（２）の構成によれば、連続する協和音に対応する特定帯域のデータを周波数データから抽出可能な帯域抽出部を備えるので、演奏曲有無判断部は、帯域抽出部の抽出結果を見るだけで、音声信号内における演奏曲の有無を容易に判断できる。
【００１２】
（３）  上記（２）の照明装置において、前記演奏状態検出部は、前記演奏曲有無判断部で前記音声信号内に前記演奏曲が有ると判断された際には、前記演奏開始を検出し、前記帯域抽出部で前記特定帯域のデータが抽出されない状態が予め定められた時間だけ継続した際には、前記演奏終了を検出することが好ましい。
【００１３】
上記（３）の構成によれば、演奏状態検出部は、演奏曲有無判断部／帯域抽出部の各出力に応じて、演奏開始／演奏終了を容易に検出できる。
【００１４】
（４）  上記（１）〜（３）の照明装置において、前記照明制御部は、複数の制御パターンが記憶されてなる記憶装置を備え、これら複数の制御パターンの選択よりいずれか一の制御パターンを選択し、選択された一の制御パターンに従った制御を実行するよう構成されてなることが好ましい。
【００１５】
上記（４）の構成によれば、複数の制御パターンが記憶されてなる記憶装置を備えるので、これら複数の制御パターンより何れか一の制御パターンを選択し、選択された一の制御パターンに従った制御を実行するよう構成されてなることから、一枚の絵画等の経時的な変化のバリエーションを広げることができる。
【００１６】
（５）  上記（１）〜（４）の照明装置において、操作信号を発信する送信装置と、前記送信装置からの操作信号を受信して前記照明制御部に供給する受信装置と、を備え、前記照明制御部は、前記操作信号に応じて、制御パターンの選択を行うよう構成されてなることが好ましい。
【００１７】
上記（５）の構成によれば、送信装置の操作により上記制御パターンを選択することができるので、例えば、絵画等から離れたソファーからの操作により、任意の制御パターンを選択操作することができ極めて便利なものとすることができる。
【００１８】
（６）  上記（１）〜（５）の照明装置において、複数の発光色に発光する表示灯を備え、前記表示灯は、選択されたいずれか一の制御パターンに応じて、各制御パターンに対応した発光色に発光するよう構成されてなることが好ましい。
【００１９】
上記（６）の構成によれば、選択された各制御パターンに対応して発光色が発光される表示灯により、現在の制御パターンを目視することができる。
【００２０】
（７）  上記（１）〜（６）の照明装置において、前記第１の照明灯は、紫外線灯、及び、紫外線ＬＥＤのいずれかであることが好ましい。
【００２１】
上記（７）の構成によれば、照明装置の使用状況に応じて、前記第１の照明灯を、紫外線灯、及び、紫外線ＬＥＤのいずれかから選択して構成することができる。
【００２２】
（８）  上記（１）〜（７）の照明装置において、前記第２の照明灯は、白熱灯、及び、白色ＬＥＤのいずれかであることが好ましい。
【００２３】
上記（８）の構成によれば、照明装置の使用状況に応じて、前記第２の照明灯を、白熱灯、及び、白色ＬＥＤのいずれかから選択して構成することができる。
【００２４】
（９）  本発明の額縁は、上記（１）〜（８）の照明装置のいずれか一の照明装置が取り付けられてなることを特徴とするものである。
【００２５】
上記（９）の構成によれば、上記（１）〜（８）の照明装置と同様の効果を得ることができる。
【発明の効果】
【００２６】
本発明の照明装置、及び、この照明装置が取り付けられてなる額縁によれば、演奏曲を聴きながら臨場感豊かな音源で絵画等の観賞を楽しみたいという鑑賞者の要望に十分に応えることができる。これにより、鑑賞者は、上記絵画等を鑑賞しながら、演奏曲を聴くことにより、一層大きなリラクゼーションを得ることができる。
【図面の簡単な説明】
【００２７】
【図１】本発明に係る照明装置が額縁に取り付けられた状態と、白熱灯の照度が最大となされた状態における絵画とを示す斜視図である。
【図２】照明装置に対して使用されるリモコン発信部を示す斜視図である。
【図３】照明装置の構成を示す底面図である。
【図４】照明装置における制御回路の構成を示すブロック図である。
【図５】制御回路の内部構成を示すブロック図である。
【図６】照明装置における制御回路の動作の一例を示すフローチャートである。
【図７】ルーチン処理における制御回路の動作の一例を示すフローチャートである。
【図８】紫外線灯及び白熱灯の照度の経時的変化の一例を示すグラフである。
【図９】図８に示す制御パターンの変形例を示すグラフである。
【図１０】本発明に係る照明装置が額縁に取り付けられた状態と、白熱灯が消灯された状態における絵画とを示す斜視図である。
【発明を実施するための形態】
【００２８】
以下、本発明に係る照明装置、及び、この照明装置が取り付けられてなる額縁の具体的な実施の形態について、図面を参照しながら詳細に説明する。
【００２９】
この照明装置１は、図１に示すように、紫外線により発光又は紫外線を反射する特殊な塗料を一部に使用して描かれた絵画Ｐを保持した額縁Ｆに取り付けられて使用されるものである。この実施の形態で示す絵画Ｐは、海岸の風景を描いたもので、太陽、山、海、椰子の木等が、従来使用されている通常の塗料により描かれているとともに、該太陽を示す円形状の図形Ｐ１の中には、上記特殊な塗料により、三日月状の図形Ｐ２が描かれている。また、絵画Ｐにおいては、上記特殊な塗料により灯台の光を示すＰ３及び上記三日月からの月光が海面に反射した図形Ｐ４が描かれている。なお、これら特殊な塗料により描かれた各図形Ｐ２、Ｐ３、及び、Ｐ４は、図１中において破線で示されている。
【００３０】
そして、図１に示すように、上記照明装置１は、上記額縁Ｆの上面に載置固定される装置本体２と、この装置本体２の左側に基端が固定された第１のアーム３と、該装置本体２の右側に基端が固定された第２のアーム４と、該第１及び第２のアーム３，４の先端により回動可能に支持されてなる照明部５とを備えている。
【００３１】
上記装置本体２は、後述する第１及び第２の照明灯を点灯又は消灯する照明制御部となる制御回路２３（図４参照）を内蔵している。また、図１に示すように、上記第１及び第２のアーム３，４は、それぞれ円弧状に成形され、内部は空洞とされているとともに、これら空洞とされた第１及び第２のアーム３，４内には、図示しないリード線が配線されている。なお、このリード線は、上記制御回路２３（図４参照）と、照明部５内に配設された第１の照明灯としての紫外線灯（ブラックライト）１５（図３参照）及び第２の照明灯としての第１の白熱灯１６〜第４の白熱灯１９（図３参照）とを電気的に接続している。
【００３２】
また、図１に示すように、上記第１及び第２のアーム３，４の先端部分に取り付けられた照明部５は、金属又は合成樹脂等により一体成形されてなるものであって、二つの円弧状部６ａ，６ｂが形成されてなる笠部６を有している。この笠部６内には、図３に示すよ
うに、この笠部６の前方内側面にネジ７を介して固定された細長い前側取付部材８と、この笠部６の後方内側面にネジ７を介して固定され該前側取付部材８と平行な細長い後側取付部材９とが設けられている。また、図３に示すように、上記前側取付部材８及び後側取付部材９の左右両端側には、ネジ１０を介して、左右の閉塞板１１，１２が固定されている。これら左右の閉塞板１１，１２の裏側には、接続端子を有する一対のコネクタ１３，１４が固定されている。これらのコネクタ１３，１４には、第１の照明灯としての紫外線灯１５が着脱可能に取り付けられている。また、上記前側取付部材８の後側面には、上記第１白熱灯１６〜第４の白熱灯１９が直線状に取り付けられている。
【００３３】
そして、この照明装置１においては、上記紫外線灯１５及び上記各白熱灯１６〜１９は、上記装置本体２に内蔵された制御回路により制御されるように構成されている。この制御回路は、図４に示すように、ＣＰＵ（Central Processing Unit）２３を有してなるものであり、メインスイッチ２１を介して商用電源２０から電源を供給される電源回路２２によって、動作電源が供給される。また、上記ＣＰＵ２３には、後述するように記憶装置（メモリ）である記憶部が設けられ、第１のドライバ回路２４〜第４のドライバ回路２７を介して、上記各白熱灯１６〜１９に接続されている。また、上記紫外線灯１５は、上記商用電源２０に対し、上記メインスイッチ２１及びスイッチング素子３０を介して接続されている。このスイッチング素子３０は、上記ＣＰＵ２３によって制御される。
【００３４】
また、図４に示すように、上記ＣＰＵ２３には、受信装置としてのリモートコントローラ受信部２８が接続されている。このリモートコントローラ受信部２８は、送信装置となるリモートコントローラ発信部２９から発信される操作信号を受信して、上記ＣＰＵ２３に供給する。このＣＰＵ２３は、上記操作信号に応じて、後述する各種の設定がなされるように構成されている。更に、上記ＣＰＵ２３には、図４に示すように、信号受信部５０が接続されている。この信号受信部５０は、演奏曲に雑音が付加されたアナログ音声信号を外部から集音マイク（不図示）を介して受信して、デジタル音声信号に変換し、上記ＣＰＵ２３に供給する。
【００３５】
そして、上記各白熱灯１６〜１９は、上記ＣＰＵ２３及び前記各ドライバ回路２４〜２７により、点灯（オン）及び消灯（オフ）を繰り返すように制御される（図８（ａ）〜図８（ｃ）のグラフ参照）。図４に示すように、各ドライバ回路２４〜２７は、ベース端子を上記ＣＰＵ２３に接続されたＮＰＮ型の制御トランジスタ２４ａと、ベース端子を該制御トランジスタ２４ａのコレクタ端子に接続されたＰＮＰ型のドライバトランジスタ２４ｂとにより構成されている。制御トランジスタ２４ａのエミッタ端子は、接地されている。また、ドライバトランジスタ２４ｂのエミッタ端子には、電源電圧Ｖｅが供給されている。そして、上記各白熱灯１６〜１９は、図４に示すように、プラス端が上記ドライバトランジスタ２４ｂのコレクタ端子に接続され、マイナス端は接地されている。
【００３６】
そして、上記ＣＰＵ２３には、記憶装置（メモリ）である記憶部（不図示）が設けられている。この記憶部には、予め、例えば、図８（ａ）〜図８（ｃ）に示すように、時間経過に対応された上記紫外線灯１５及び上記各白熱灯１６〜１９の照度値、すなわち、制御パターンが、第１〜第３の制御パターンとして記憶されている。また、図２に示すように、上記リモートコントローラ発信部２９には、第１のスイッチ３１〜第３のスイッチ３３が設けられている。上記第１のスイッチ３１は、上記ＣＰＵ２３の動作を開始及び停止させるための操作信号を発信するためのものである。また、上記第２のスイッチ３２は、後述するように、徐々に照度が増大し又は減少している各白熱灯１６〜１９及び点灯又は消灯している紫外線灯１５を、その時点における照度で維持されるよう停止させるとともに、その停止状態を解除する操作信号を発信するためのものである。また、上記第３のスイッチ３３は、上記記憶部に記憶された、上記各白熱灯１６〜１９及び上記紫外線灯１５の点灯及び消灯のタイミングについての複数の制御パターンより、特定の制御パターンを選択する操作信号を発信するためのものである。また、図２に示すように、上記リモートコントローラ発信部２９には、上記照明装置１において、回路のショート等により所定の動作が行われなくなった場合にその旨を表示するエラーランプ３４が設けられている。
【００３７】
また、この照明装置１においては、上記ＣＰＵ２３が動作状態であること、及び、上記各白熱灯１６〜１９及び紫外線灯１５がその時点における照度で維持されていることを、点灯及び消灯状態によって表示する表示灯である第１のランプ３５が設けられている（図１参照）。すなわち、この第１のランプ３５は、上記リモートコントローラ発信部２９に設けられた第２のスイッチ３２の操作により、上記各白熱灯１６〜１９及び紫外線灯１５がその時点における照度で維持されている場合（停止状態）には点灯し、該停止状態が解除された場合には、消灯するように構成されている。また、この照明装置１には、上記第１のランプ３５に並んで、図１に示すように、第２のランプ３６が設けられている。この第２のランプ３６は、前記リモートコントローラ発信部２９に設けられた第３のスイッチ３３により、現在選択されている制御パターンが何れの制御パターンであるかを発光色によって示すものであり、本発明を構成する表示灯である。そして、この第２のランプ３６は、例えば、第１の制御パターンが選択されている場合には、赤色に、第２の制御パターンが選択されている場合には、緑色に、第３の制御パターンが選択されている場合には、橙色（オレンジ色）に点灯するように構成されている。なお、このように照明装置１に設けられる第１のランプ３５及び第２のランプ３６は、上記額縁Ｆの枠部に設けられているものであっても良い。
【００３８】
図５は、上記ＣＰＵ２３の内部構成を示すブロック図である。図５に示すように、上記ＣＰＵ２３は、演奏曲抽出部６０と、演奏状態検出部７０とを備える。演奏曲抽出部６０は、信号受信部５０でデジタル変換されたデジタル音声信号内で連続する協和音（以下、連続音ともいう）を演奏曲として抽出するものであって、データ変換部としての高速フーリエ変換器（以下、ＦＦＴともいう）６１、帯域抽出部６２、及び、演奏曲有無判断部６３を備える。ＦＦＴ（Fast Fourier Transform）６１は、信号受信部５０から上記デジタル音声信号を受信し、このデジタル音声信号にフーリエ変換を適用して周波数データを生成する。帯域抽出部６２は、上記連続音に対応する特定帯域のデータを上記周波数データから抽出する。ここで、特定帯域としては、人間の可聴領域が挙げられる。人間の可聴領域としては、例えば、ピアノの出す音の範囲内である、２７．５［Ｈｚ］〜４１８６［Ｈｚ］の周波数帯域を挙げることができるが、人間が聞き取れる周波数帯域であれば、２７．５［Ｈｚ］〜４１８６［Ｈｚ］の周波数帯域に限られない。演奏曲有無判断部６３は、上記帯域抽出部６２における上記特定帯域のデータの抽出に応答して、上記デジタル音声信号内に上記演奏曲が有ると判断する。演奏状態検出部７０は、上記演奏曲有無判断部６３で上記デジタル音声信号内に上記演奏曲が有ると判断された際には、上記演奏曲の演奏開始を検出する。一方、演奏状態検出部７０は、上記帯域抽出部６２で上記特定帯域のデータが抽出されない状態が予め定められた時間だけ継続した際には、上記演奏曲の演奏終了を検出する。ここで、予め定められた時間は、例えば３［sec.］に設定できる。そして、上記ＣＰＵ２３は、上記演奏曲の演奏開始の検出と同時に紫外線灯１５及び各白熱灯１６〜１９を点灯させるとともに、上記演奏曲の演奏終了の検出と同時に紫外線灯１５及び各白熱灯１６〜１９を消灯させる。なお、消灯のタイミングは、演奏修了と同時に限らず、演奏終了後から所定時間が経過した時点で消灯が可能である。また、演奏終了よりも所定時間だけ前の時点でも消灯が可能である。
【００３９】
図６は、上記照明装置における制御回路の動作を示すフローチャートである。図６に示すように、この照明装置１においては、上記メインスイッチ２１が投入（オン）操作されると、上記ＣＰＵ２３は、ステップＳ１で動作を開始し、ステップＳ２で、上記第１のスイッチ３１が操作されているか否かを判別する。そして、上記第１のスイッチ３１の操作がなければ、このステップＳ２に留まり、第１のスイッチ３１の操作があれば、ステップＳ３に進む。このステップＳ３では、処理はルーチン処理１（図７参照）に移行する。そして、このルーチン処理１の終了後、処理はステップＳ４に進む。このステップＳ４では、上記ＣＰＵ２３が、上記記憶部に記憶されている初期条件に従って点灯動作を実行する。そして、ステップＳ５では、上記第２のスイッチ３２により制御パターンを実行することが選択されているか否かを判別する。制御パターンを実行することが選択されていなければ、処理はステップＳ１０に進み、制御パターンを実行することが選択されていれば、処理はステップＳ６に進む。このステップＳ６では、ＣＰＵ２３は、いずれの制御パターンが選択されているかを判別し、第１の制御パターンが選択されていればステップＳ７に進み、第２の制御パターンが選択されていればステップＳ８に進み、第３の制御パターンが選択されていればステップＳ９に進む。ステップＳ７では、第１の制御パターンのデータを上記記憶部より取り込んで実行し、上記ステップＳ１０に進む。また、ステップＳ８では、第２の制御パターンのデータを上記記憶部より取り込んで実行し、上記ステップＳ１０に進む。ステップＳ９では、第３の制御パターンのデータを上記記憶部より取り込んで実行し、上記ステップＳ１０に進む。そして、ステップＳ１０では、現在の点灯状態を初期条件として上記記憶部に記憶させ、ステップＳ１１に進んでリターンする。
【００４０】
図７は、上記ルーチン処理１における制御回路の動作を示すフローチャートである。図７に示すように、ルーチン処理１においては、上記ＣＰＵ２３は、ステップＴ１で動作を開始し、ステップＴ２で、ＦＦＴ６１で上記デジタル音声信号が受信されているか否かを判別する。そして、上記デジタル音声信号が受信されなければ、このステップＴ２に留まり、上記デジタル音声信号が受信されると、ステップＴ３に進む。このステップＴ３では、上記ＦＦＴ６１が、上記デジタル音声信号にフーリエ変換を適用して周波数データを生成する。そして、ステップＴ４では、上記ＣＰＵ２３が、帯域抽出部６２で周波数データから上記特定帯域のデータが抽出されているか否かを判別する。上記特定帯域のデータが抽出されていれば、上記デジタル音声信号内に上記演奏曲が有ると判断されて、処理はステップＴ８に進み、上記特定帯域のデータが抽出されていなければ、処理はステップＴ５に進む。このステップＴ５では、上記演奏状態検出部７０が、上記特定帯域のデータが抽出されない状態が予め定められた時間（３［sec.］）だけ継続しているか否かを判別する。予め定められた時間だけ継続していなければ、処理はステップＴ５を繰り返し、予め定められた時間だけ継続していれば、処理はステップＴ６に進む。このステップＴ６では、上記演奏状態検出部７０が、上記演奏曲の演奏終了を検出し、処理はステップＴ７に進む。このステップＴ７では、上記ＣＰＵ２３が、上記各白熱灯１６〜１９及び紫外線灯１５を消灯させる。そして、ステップＴ８では、上記演奏状態検出部７０が、上記演奏曲の演奏開始を検出し、上記ルーチン処理１が終了し、処理はステップＴ９に進んだ後、図６に示すステップＳ４に移行する。
【００４１】
図８は、紫外線灯及び白熱灯の照度の経時的変化の一例を示すグラフである。図８（ａ）は、第１の制御パターンの実行時における経時的変化を示している。図８（ｂ）は、第２の制御パターンの実行時における経時的変化を示している。図８（ｃ）は、第３の制御パターンの実行時における経時的変化を示している。この照明装置１においては、上記メインスイッチ２１を投入（オン）操作して電源回路２２を動作させるとともに上記リモートコントローラ発信部２９の第１のスイッチ３１を操作すると、第１の制御パターンの実行時には、図８（ａ）に示すように、所定時間（この例では２０［sec.］）経過後に、各白熱灯１６〜１９は、オンの状態とされ（点灯され）、第１の所定時間ａ（この例では２０［sec.］）内に徐々に照度が増大しピークに達する。そして、各白熱灯１６〜１９は、このピークに到った時間から第２の所定時間ｂ（この例では２５［sec.］）経過すると、第３の所定時間ｃ（この例では２０［sec.］）内に徐々に照度が減少しオフの状態となり（消灯し）、第４の所定時間ｄ（この例では２０［sec.］）経過するとオンの状態となって、これが繰り返されるように制御される。
【００４２】
また、この第１の制御パターンにおいて、図８（ａ）に示すように、上記紫外線灯１５は、上記各白熱灯１６〜１９が点灯されている間の予め設定された第５の所定時間ｅ（第１の所定時間ａの１／２経過時より、第３の所定時間ｃの１／２経過時までの時間：この例では４５［sec.］）内において消灯され、該各白熱灯１６〜１９が消灯されている間を含む予め設定された第６の所定時間ｆ（第３の所定時間ｃの１／２経過時より、次の制御パターンの第１の所定時間ａの１／２経過時までの時間：この例では４０［sec.］）内において点灯させるという制御パターンを繰り返すように制御される。
【００４３】
また、この照明装置１においては、上記メインスイッチ２１を投入（オン）操作して電源回路２２を作動させるとともに上記リモートコントローラ発信部２９の第１のスイッチ３１を操作すると、第２の制御パターンの実行時は、図８（ｂ）に示すように、所定時間（この例では５０［sec.］）経過後に、各白熱灯１６〜１９は、オンの状態とされ（点灯され）、第１の所定時間ａ（この例では３０［sec.］）内に徐々に照度が増大しピークに達する。そして、各白熱灯１６〜１９は、このピークに到った時間から第２の所定時間ｂ（この例では３５［sec.］）経過すると、第３の所定時間ｃ（この例では３０［sec.］）内に徐々に照度が減少しオフの状態となり（消灯し）、第４の所定時間ｄ（この例では５０［sec.］）経過すると、オンの状態となって、これが繰り返されるように制御されている。
【００４４】
また、この第２の制御パターンにおいて、図８（ｂ）に示すように、上記紫外線灯１５は、上記各白熱灯１６〜１９が点灯されている間の予め設定された第５の所定時間ｅ（第１の所定時間ａの１／２経過時より、第３の所定時間ｃの１／２経過時までの時間：この例では６５［sec.］）内において消灯され、該各白熱灯１６〜１９が消灯されている時間を含む予め設定された第６の所定時間ｆ（第３の所定時間ｃの１／２経過時より、次の制御パターンの第１の所定時間ａの１／２経過時までの時間：この例では８０［sec.］）内において点灯させるという制御パターンを繰り返すように制御される。
【００４５】
そして、この照明装置１においては、上記メインスイッチ２１を投入（オン）操作して電源回路２２を作動させるとともに上記リモートコントローラ発信部２９の第１のスイッチ３１を操作すると、第３の制御パターンの実行時は、図８（ｃ）に示すように、所定時間（この例では１００［sec.］）経過後に、各白熱灯１６〜１９は、オンの状態とされ（点灯され）、第１の所定時間ａ（この例では６０［sec.］）内に徐々に照度が増大しピークに達する。そして、各白熱灯１６〜１９は、このピークに到った時間から第２の所定時間ｂ（この例では４０［sec.］）経過すると、第３の所定時間ｃ（この例では６０［sec.］）内に徐々に照度が減少しオフの状態となり（消灯し）、第４の所定時間ｄ（この例では１００［sec.］）経過すると、オンの状態となって、これが繰り返されるように制御されている。
【００４６】
また、この第３の制御パターンにおいて、上記紫外線灯１５は、図８（ｃ）に示すように、上記各白熱灯１６〜１９が点灯されている間の予め設定された第５の所定時間ｅ（第１の所定時間ａの１／２経過時より、第３の所定時間ｃの１／２経過時までの時間：この例では１００［sec.］）内において消灯され、該各白熱灯１６〜１９が消灯されている時間を含む予め設定された第６の所定時間ｆ（第３の所定時間ｃの１／２経過時より、次の制御パターンの第１の所定時間ａの１／２経過時までの時間：この例では１６０［sec.］）内において点灯させるという制御パターンを繰り返すように制御される。
【００４７】
なお、上記紫外線灯１５が消灯されている時間（第５の所定時間ｅ）は、上述したように、各白熱灯１６〜１９が照度のピークを維持する時間、すなわち、第２の所定時間ｂよりも長く制御されている場合であっても良いが、図９（ａ）に示すように、該第２の所定時間ｂに一致しても良く、或いは、図９（ｂ）に示すように、該第２の所定時間ｂよりも短く制御されているものであっても良い。また、上記紫外線灯１５の照度は、上記各白熱灯１６〜１９の照度のピークに対して、高く制御され、また等しく制御され、さらには、低く制御されても良い。
【００４８】
すなわち、この照明装置１は、上記メインスイッチ２１をオン操作して上記リモートコントローラ発信部２９の第１のスイッチ３１を操作すると、上記紫外線灯１５が点灯するとともに、上記電源回路２２を介してＣＰＵ２３が作動し、上記各白熱灯１６〜１９及び紫外線灯１５は、上記ＣＰＵ２３の記憶部（不図示）に記憶された、図８（ａ）〜（ｃ）にそれぞれ示す第１〜第３の制御パターンに従って、オン及びオフが繰り返されるように構成されている。このとき、上記ＣＰＵ２３により、時間経過に対応しながら上記記憶部（不図示）から照度値が読み込まれ、このＣＰＵ２３に設けられた図示しないＤＡ変換器を介して、前記制御トランジスタ２４ａのベース電流の制御が行われる。すると、ドライバトランジスタ２４ｂのエミッタからコレクタに流れる電流が変化させられ、各白熱灯１６〜１９に流れる電流値（照度）が制御される。
【００４９】
なお、このように照度が制御されている間に、各白熱灯１６〜１９及び紫外線灯１５の照度変化を停止させ、その時点における照度を維持させたい場合には、上記リモートコントローラ発信部２９に設けられた第２のスイッチ３２を操作することにより行う。そして、上記各白熱灯１６〜１９及び紫外線灯１５の照度変化の制御パターンを変化させる（選択する）ときには、上記第３のスイッチ３３を操作する。
【００５０】
このように、照度が所定の制御パターンで変化する各白熱灯１６〜１９及びこれら白熱灯１６〜１９の照度変化に応じて点灯／消灯操作される紫外線灯１５と、を備えた本発明に係る照明装置１によれば、該紫外線灯１５のみが点灯し、各白熱灯１６〜１９が消灯されているときには、図１０に示すように、絵画Ｐ全体は、極めて暗く認識される。そして、このとき、この紫外線灯１５からの紫外線により発光又は反射する特殊な塗料が塗布された三日月状の図形Ｐ２、灯台の光を示す図形Ｐ３、及び、月光が海面に反射した部分の図形Ｐ４のみが、他の塗料で塗布された部分よりも光って認識される。したがって、このときは、この絵画Ｐは夜間の風景として認識される。
【００５１】
そして、この状態から所定時間経過すると、図８（ａ）〜（ｃ）に示すように、各白熱灯１６〜１９が点灯し徐々に照度が増大される。このように、各白熱灯１６〜１９の照度が増大されると、絵画Ｐ全体の明るさが漸次増大される。このとき、上記特殊な塗料により塗布された各図形Ｐ２、Ｐ３、Ｐ４は、徐々に識別できなくなり、その後上記紫外線灯１５が消灯され、該各白熱灯１６〜１９からの照度が最大となると、各図形Ｐ２、Ｐ３、Ｐ４は全く識別不能となる。したがって、絵画Ｐ全体としては、昼間の風景として認識される。
【００５２】
このように、上記照明装置１によれば、紫外線が照射されることにより発光又は紫外線を反射する特殊な塗料により少なくとも一部分が描かれた絵画Ｐに使用されることによって、その絵画Ｐが表す風景を、夜間の風景、朝の風景、昼間の風景、夕方の風景、及び、夜間の風景と、自然の経時変化に対応して徐々に変化させることができる。そのため、この照明装置１及びこの照明装置が取り付けられた額縁においては、観賞者に対してより臨場感及び変化の意外性を与えることができ、ひいては、大きなリラクゼーションを与えることができる。
【００５３】
更に、上記照明装置１では、上記ＣＰＵ２３が、上記演奏状態検出部７０における上記演奏開始の検出に応答して各白熱灯１６〜１９及び紫外線灯１５を点灯させるとともに、上記演奏状態検出部７０における上記演奏終了の検出に応答して各白熱灯１６〜１９及び紫外線灯１５を消灯させるものであるので、演奏曲を聴きながら臨場感豊かな音源で絵画Ｐの観賞を楽しみたいという鑑賞者の要望に十分に応えることができる。これにより、鑑賞者は、上記絵画Ｐを鑑賞しながら、演奏曲を聴くことにより、一層大きなリラクゼーションを得ることができる。
【００５４】
以上、本発明の実施形態について図面に基づいて説明したが、具体的な構成は、これらの実施形態に限定されるものではないと考えられるべきである。本発明の範囲は、上記した実施形態の説明ではなく特許請求の範囲によって示され、さらに特許請求の範囲と均等の意味および範囲内でのすべての変更が含まれる。
【００５５】
なお、上述した実施の形態では、本発明に係る照明装置を構成する紫外線灯からなる第１の照明灯と、白熱灯からなる第２の照明灯とを、それぞれ第１及び第２のアーム３，４の先端側に回動可能に支持された照明部５に設けたものを説明した。しかし、上記第１の
照明灯及び第２の照明灯は、必ずしも上記照明部５に設ける必要はなく、例えば、絵画が固定される図示しない額縁の左右両側に第１の照明灯である紫外線灯を取り付け、上下両側に第２の照明灯である白熱灯を取り付けることとしても良い。
【００５６】
また、上述した実施の形態では、上記第２の照明灯は、４個の白熱灯１６〜１９からなるものとして説明したが、この白熱灯の個数は、特に４個に限定されるものではなく、３個以下、又は、５個以上の個数に変更できる。
【００５７】
また、上述した実施の形態では、上記第１の照明灯を紫外線灯で構成するとともに、上記第２の照明灯を白熱灯で構成する例について述べたが、本発明はこれに限定されるものではなく、上記第１の照明灯を紫外線ＬＥＤ（Light Emitting Diode）で構成するとともに、上記第２の照明灯を白色ＬＥＤで構成しても良い。
【００５８】
また、上述した実施の形態では、送信装置となるリモートコントローラ発信部２９から、受信装置となるリモートコントローラ受信部２８に操作信号を発信して、各白熱灯１６〜１９及び紫外線灯１５の点灯／消灯制御を行う例について述べたが、本発明はこれに限定されるものではない。例えば、絵画に関する情報のナレーション機能（解説機能）、又は、絵画ごとに作られた詩の朗読機能を備えたアプリケーションを実行可能なモバイル端末を用いて、送信装置となるリモートコントローラ発信部を構成し、絵画鑑賞者による絵画の選択操作に応じて、ナレーション機能、又は、朗読機能を実行しても良い。ここでの「モバイル端末」は、スマートフォン、携帯電話、タブレット型ＰＣ（Personal Computer）、或いは、ＰＤＡ（Personal Digital Assistant）と称される携帯情報端末等を用いて構成可能である。「絵画に関する情報のナレーション」又は「詩の朗読」は、イヤホンジャック（イヤホンのコードを指す穴）を介してモバイル端末に接続されたヘッドフォンからの音声出力によって実現しても良く、ブルートゥース（Bluetooth）（登録商標）等の近距離無線通信規格に準拠した近距離無線通信、又は、赤外線の送受信を利用した音声情報の送受信を行って、送信装置側のスピーカからの音声出力によって実現しても良い。なお、ナレーション機能、又は、朗読機能のオン／オフは、絵画鑑賞者の判断で自由に切り替え可能である。また、ナレーション機能、又は、朗読機能に伴う音声の強弱又はスピードについても絵画鑑賞者の判断で自由に変更できる。さらには、絵画を鑑賞する外国人を配慮して、多言語でナレーション又は朗読を実現することにより、ナレーション機能、又は、朗読機能の充実を図っても良い。
【符号の説明】
【００５９】
１    照明装置
２    装置本体
３、４    アーム
５    照明部
６    笠部
６ａ、６ｂ    円弧状部
７、１０    ネジ
８    前側取付部材
９    後側取付部材
１１    閉塞板
１３    コネクタ
１５    紫外線灯（第１の照明灯）
１６〜１９    白熱灯（第２の照明灯）
２０    商用電源
２１    メインスイッチ
２２    電源回路
２３    ＣＰＵ（照明制御部）
２４〜２７    ドライバ回路
２４ａ    制御トランジスタ
２４ｂ    ドライバトランジスタ
２８    リモートコントローラ受信部
２９    リモートコントローラ発信部
３０    スイッチング素子
３１〜３３    スイッチ
３４    エラーランプ
３５、３６    ランプ
５０    信号受信部
６０    演奏曲抽出部
６１    ＦＦＴ（データ変換部）
６２    帯域抽出部
６３    演奏曲有無判断部
７０    演奏状態検出部
【図１】
2015122199.tif 000003
【図２】
2015122199.tif 000004
【図３】
2015122199.tif 000005
【図４】
2015122199.tif 000006
【図５】
2015122199.tif 000007
【図６】
2015122199.tif 000008
【図７】
2015122199.tif 000009
【図８】
2015122199.tif 000010
【図９】
2015122199.tif 000011
【図１０】
2015122199.tif 000012
【手続補正書】
【提出日】平成26年10月30日(2014.10.30)
【手続補正１】
【補正対象書類名】特許請求の範囲
【補正対象項目名】全文
【補正方法】変更
【補正の内容】
【特許請求の範囲】
【請求項１】
音声信号を外部から受信可能な信号受信部と、
前記音声信号内で連続する協和音を演奏曲として抽出可能な演奏曲抽出部と、
前記演奏曲抽出部の抽出結果に応じて、前記演奏曲の演奏開始／演奏終了を検出可能な演奏状態検出部と、
紫外線が照射されることによって発光又は反射する塗料が塗布された対象物に、紫外線を照射可能な第１の照明灯と、
前記対象物に白色光を照射可能な第２の照明灯と、
前記第１の照明灯の点灯／消灯を制御するとともに、上記第２の照明灯の点灯／消灯並びに照度を制御可能な照明制御部と、
を備え、
前記照明制御部が、
前記第２の照明灯に対しては、
前記対象物に朝の日光が当たっているような照度となるように消灯状態より予め設定された第１の所定時間内において徐々に照度を増大させ、前記対象物に昼の日光が当たっているような照度となるように該第１の所定時間に続く予め設定された第２の所定時間内において最大照度を維持させ、前記対象物に夕方の日光が当たっているような照度となるように該第２の所定時間に続く予め設定された第３の所定時間内において徐々に照度を減少させ、該第３の所定時間に続く予め設定された第４の所定時間内において消灯状態を維持させる、というパターンを繰り返す制御を行い、
前記第１の照明灯に対しては、
該第２の照明灯が点灯されている間の予め設定された第５の所定時間内において消灯させ、該第２の照明灯が消灯されている間を含む予め設定された第６の所定時間内において点灯させるというパターンを繰り返す制御を行い、
前記演奏状態検出部における前記演奏開始の検出に応答して前記第１及び前記第２の照明灯を点灯させるとともに、
前記演奏状態検出部における前記演奏終了の検出に応答して前記第１及び前記第２の照明灯を消灯させることを特徴とする照明装置。
【請求項２】
前記演奏曲抽出部が、
前記音声信号のデータにフーリエ変換を適用して周波数データを生成可能なデータ変換部と、
前記連続する協和音に対応する特定帯域のデータを前記周波数データから抽出可能な帯域抽出部と、
前記帯域抽出部における前記特定帯域のデータの抽出に応答して、前記音声信号内に前記演奏曲が有ると判断する演奏曲有無判断部と、
を備えることを特徴とする請求項１に記載の照明装置。
【請求項３】
前記演奏状態検出部が、
前記演奏曲有無判断部で前記音声信号内に前記演奏曲が有ると判断された際には、前記演奏開始を検出し、
前記帯域抽出部で前記特定帯域のデータが抽出されない状態が予め定められた時間だけ継続した際には、前記演奏終了を検出することを特徴とする請求項２に記載の照明装置。
【請求項４】
前記照明制御部が、
複数の制御パターンが記憶されてなる記憶装置を備え、これら複数の制御パターンの選択よりいずれか一の制御パターンを選択し、選択された一の制御パターンに従った制御を実行するよう構成されてなることを特徴とする請求項１〜３のいずれか一項に記載の照明装置。
【請求項５】
操作信号を発信する送信装置と、
前記送信装置からの操作信号を受信して前記照明制御部に供給する受信装置と、
を備え、
前記照明制御部が、
前記操作信号に応じて、制御パターンの選択を行うよう構成されてなることを特徴とする請求項１〜４のいずれか一項に記載の照明装置。
【請求項６】
複数の発光色に発光する表示灯を備え、
前記表示灯は、選択されたいずれか一の制御パターンに応じて、各制御パターンに対応した発光色に発光するよう構成されてなることを特徴とする請求項１〜５のいずれか一項に記載の照明装置。
【請求項７】
前記第１の照明灯が、
紫外線灯、及び、紫外線ＬＥＤのいずれかであることを特徴とする請求項１〜６のいずれか一項に記載の照明装置。
【請求項８】
前記第２の照明灯が、
白熱灯、及び、白色ＬＥＤのいずれかであることを特徴とする請求項１〜７のいずれか一項に記載の照明装置。
【請求項９】
請求項１〜８のいずれか一項に記載の照明装置が取り付けられてなる額縁。
【手続補正２】
【補正対象書類名】明細書
【補正対象項目名】０００７
【補正方法】変更
【補正の内容】
【０００７】
（１）  本発明の照明装置は、音声信号を外部から受信可能な信号受信部と、前記音声信号内で連続する協和音を演奏曲として抽出可能な演奏曲抽出部と、前記演奏曲抽出部の抽出結果に応じて、前記演奏曲の演奏開始／演奏終了を検出可能な演奏状態検出部と、紫外線が照射されることによって発光又は反射する塗料が塗布された対象物に、紫外線を照射可能な第１の照明灯と、前記対象物に白色光を照射可能な第２の照明灯と、前記第１の照明灯の点灯／消灯を制御するとともに、上記第２の照明灯の点灯／消灯並びに照度を制御可能な照明制御部と、を備え、前記照明制御部が、前記第２の照明灯に対しては、前記対象物に朝の日光が当たっているような照度となるように消灯状態より予め設定された第１の所定時間内において徐々に照度を増大させ、前記対象物に昼の日光が当たっているような照度となるように該第１の所定時間に続く予め設定された第２の所定時間内において最大照度を維持させ、前記対象物に夕方の日光が当たっているような照度となるように該第２の所定時間に続く予め設定された第３の所定時間内において徐々に照度を減少させ、該第３の所定時間に続く予め設定された第４の所定時間内において消灯状態を維持させる、というパターンを繰り返す制御を行い、前記第１の照明灯に対しては、該第２の照明灯が点灯されている間の予め設定された第５の所定時間内において消灯させ、該第２の照明灯が消灯されている間を含む予め設定された第６の所定時間内において点灯させるというパターンを繰り返す制御を行い、前記演奏状態検出部における前記演奏開始の検出に応答して前記第１及び前記第２の照明灯を点灯させるとともに、前記演奏状態検出部における前記演奏終了の検出に応答して前記第１及び前記第２の照明灯を消灯させることを特徴とするものである。ここでの「音声信号」とは、演奏曲に雑音が付加された信号を言うものであって、本発明では、前記音声信号内で連続する協和音が演奏曲目の音色として前記演奏曲抽出部で抽出されるが、前記音声信号内にある不連続の不協和音は、人が歩く音又は環境音等であるとして前記演奏曲抽出部での抽出は行われない。